(57)【要約】      （修正有）【課題】容器の作成を妨げることなく容器に盗難防止特性を付与するスクープ器具を提供する。【解決手段】ＥＭ監視デバイスを一体化されたスクープ器具であって、容器は、製品を収容するための内部を画定し、スクープ器具は、容器から製品をすくいとる、すなわち獲得するように構成される。電磁監視デバイスは、スクープ器具の本体に一体化される、埋め込まれる、または取り付けられる。電磁監視デバイスは、電磁信号に応答することによって自身の存在を検出可能にするように構成されたＥＡＳ、Ｂｉｓｔａｔｉｘ、ＲＦＩＤ、またはその他のＥＭ監視タグもしくはＥＭ監視ラベルであってよい。このような電磁監視デバイスの検出可能特性によって、容器の作成を妨げることなく容器に盗難防止特性を付与することが可能になる。【選択図】図３ａ
2007249940.tif 000002
【特許請求の範囲】
【請求項１】
製品を収容するように構成された容器のためのスクープ器具であって、
つかみ部分と、前記容器から前記製品をすくいとるための主要受け部分とを形成する本体と、
前記本体に取り付けられ、電磁信号に応答することによって自身の存在を検出可能にするように構成される電磁監視デバイスと、
を備えるスクープ器具。
【請求項２】
請求項１に記載のスクープ器具であって、
前記電磁監視デバイスは、前記本体に実質的に埋め込まれる、スクープ器具。
【請求項３】
請求項１に記載のスクープ器具であって、
前記電磁監視デバイスは、接着剤によって前記本体に付けられる、スクープ器具。
【請求項４】
請求項１に記載のスクープ器具であって、
前記本体は、前記電磁監視デバイスを保持するように構成された窪みを画定する、スクープ器具。
【請求項５】
請求項１に記載のスクープ器具であって、
前記主要受け部分は、底面と、該底面の外縁の少なくとも一部から立ち上がる側面とを有する、スクープ器具。
【請求項６】
請求項１に記載のスクープ器具であって、
前記電磁監視デバイスは、電子商品監視タグである、スクープ器具。
【請求項７】
請求項１に記載のスクープ器具であって、
前記電磁監視デバイスは、ＲＦＩＤタグである、スクープ器具。
【請求項８】
製品を収容するための容器であって、
底壁と、前記底壁から上方に延びて上端で終結する側壁とを有する容器本体と、
前記上端に取り付けられた着脱可能な覆いと、
前記製品とともに前記容器に含ませるためのスクープ器具であって、本体と電磁監視デバイスとを有し、該本体は、該容器から該製品をすくいとるための主要受け部分を少なくとも形成し、該電磁監視デバイスは、該本体に取り付けられ、電磁信号に応答することによって自身の存在を検出可能にするように構成される、スクープ器具と、
を備える容器。
【請求項９】
請求項８に記載の容器であって、
前記本体は、更に、つかみ部分を有する、容器。
【請求項１０】
請求項８に記載の容器であって、
前記電磁監視デバイスは、前記本体に実質的に埋め込まれる、容器。
【請求項１１】
請求項８に記載の容器であって、
前記電磁監視デバイスは、接着剤によって前記本体に付けられる、容器。
【請求項１２】
請求項８に記載の容器であって、
前記本体は、前記電磁監視デバイスを保持するように構成された窪みを画定する、容器。
【請求項１３】
請求項８に記載の容器であって、
前記主要受け部分は、底面と、該底面の外縁の少なくとも一部から立ち上がる側面とを有する、容器。
【請求項１４】
請求項１３に記載の容器であって、
前記側面は、前記底面の実質全外縁から延びる、容器。
【請求項１５】
製品を収容するための複合容器であって、
下方の開口と、上方の開口と、前記製品を収容するための内部とを画定する筒状の側壁と、
前記下方の開口を閉じるための下方の覆いと、
前記内部から所定量の製品をすくいとるためのスクープ器具であって、電磁監視デバイスを実質的に埋め込まれ、該電磁監視デバイスは、電磁信号に応答することによって自身の存在を検出可能にするように構成される、スクープ器具と、
を備える複合容器。
【請求項１６】
請求項１５に記載の複合容器であって、
前記電磁監視デバイスは、電子商品監視タグである、複合容器。
【請求項１７】
請求項１５に記載の複合容器であって、
前記電磁監視デバイスは、ＲＦＩＤタグである、複合容器。
【請求項１８】
盗難防止特性を有する容器に製品をパッケージングする方法であって、
製品を収容するための内部と、開口とを画定する本体を有する容器を用意する工程と、
プラスチック製の挿入物に電磁監視デバイスを取り付ける工程と、
前記内部に所定量の前記製品を満たす工程と、
前記内部に所定量の前記製品を満たす工程の後、または前記内部に所定量の前記製品を満たす工程と同時に、前記プラスチック製の挿入物を前記内部の中に設置する工程と、
前記開口を着脱可能な覆いで閉じる工程と、
を備える、パッケージングする方法。
【請求項１９】
請求項１８に記載のパッケージングする方法であって、
前記プラスチック製の挿入物は、前記内部から前記製品をすくいとるためのスクープ器具として構成される、パッケージングする方法。
【発明の詳細な説明】
【技術分野】
【０００１】
本発明は、複合容器に関する。本発明は、より具体的には、電子商品監視（ＥＡＳ）デバイスまたは無線周波数識別（ＲＦＩＤ）デバイスを有する複合容器に関する。本明細書では、これらＥＡＳデバイスおよびＲＦＩＤデバイス、並びに類似の原理で動作するその他のデバイスを、総じて電磁（ＥＭ）監視デバイスと称する。
【０００２】
万引きの防止および摘発のために、製品にＥＭ監視デバイスを取り付ける小売店経営者が増えている。様々なＥＡＳタグや検出システムが開発され使用されている。一般に、どのＥＡＳシステムも、送信機と受信機とで構成された検出ゾーンを含む。送信機および受信機は、店を出る客が必ず検出ゾーンを通らなければならないように、店の出口に設置される。送信機は、単一または複数の所定周波数の磁気信号または無線周波数信号（本明細書では概して電磁信号と称される）を受信機に送信する。動作状態のＥＡＳタグが検出ゾーンに進入すると、タグは応答して受信信号に変化または乱れを生じさせる。そして、その変化または乱れが受信機によって検出される。
【０００３】
広く使用されているＥＡＳシステムの１つは、磁界の変化に応じて長さを変化させる磁歪性の金属片と、磁界が永久にゼロにならないように磁界にバイアスをかけるバイアス磁石と、を有するタグを用いた音響磁気システムである。磁歪性の金属片は、送信機によってその所定の共振周波数（一般に約５８ｋＨｚ）で生成された無線周波数（ＲＦ）信号によって、所定の共振周波数で駆動され、このような駆動磁界を受けて、共振周波数で共振する。送信機は、ＲＦ信号をパルス方式で送信し、タグは、各パルスの終了ごとに短期間ずつ共振し続ける。受信機は、ＲＦパルスに応答してタグから放出される信号を検出する。これらのタグ信号は、受信機の中のマイクロコンピュータによって、正しい周波数であること、パルスに対して時間的に同期化されていること、正しいレベルにあること、そして正しい繰り返し時間であることをチェックされる。これらの基準が全て満たされると、警報が鳴らされ、まだ動作状態のＥＡＳタグを付けた商品が送信機および受信機のすぐ近くを通過したことが店員に警告される。タグは、組み込まれたバイアス磁石の消磁を通じて非動作化することができる。
【０００４】
他のタイプのＥＡＳシステムとして、高透磁率の線状の金属、すなわち金属リボンを一片の半硬質磁性材料の近傍に有する粘着ラベルを用いた電磁システムが挙げられる。送信機は、低周波数（通常１ｋＨｚ未満）の電磁界を放射する。すると、金属リボンは、１サイクルごとに２回ずつ磁気的に飽和され、その結果、電磁信号を放出する。飽和は急激に生じ、ラベルによって放出される信号中に特徴的なパターンを発生させる。そして、このようなパターンが、受信機によって検出される。半硬質磁性材料の磁化は、金属リボンを飽和させて非動作状態にするので、ラベルは、半硬質磁性材料の磁化を通じて非動作化することができる。ラベルは、また、半硬質磁性材料の磁化を通じて再び動作状態に戻すこともできる。
【０００５】
ＥＡＳシステムで使用される上記のタグは、情報を格納しないという意味で「スマート」ではなく、単純に、特定の駆動電磁界を受けて特徴的な電磁信号を放出することによって検出ゾーンにおいてタグの存在を検出可能にしている。これに対して、無線周波数識別（ＲＦＩＤ）システムでは、情報を格納可能で且つその情報を抽出するためにリーダによって遠くからでも「読み出し」可能である「スマート」タグが用いられる。無線周波数識別システムは、製造、在庫、出荷などの過程を通して物品を追跡するために使用することができる。一般に、ＲＦＩＤデバイスは、集積回路（ＩＣ）チップマイクロプロセッサと、コイル状アンテナおよびコンデンサで形成された共振回路とを含むタグである。パッシ
ブＲＦＩＤシステムでは、リーダによって、所定の周波数の磁界が形成される。形成された磁界にＲＦＩＤデバイス（通常は読み出し専用または読み書き可能のいずれかに分類可能である）が進入すると、デバイスの共振回路内に小電流が発生する。この共振回路は、デバイスに電力を供給する。電力を供給されたデバイスは、デバイス上に予めプログラムされた情報を、１２５ｋＨｚ（低周波数）または１３．５６ＭＨｚ（高周波数）などの所定の周波数でリーダに送り返すために、磁界を変調する。すると、リーダは、その信号伝送を受信し、復調し、復号した後、更なる処理のために、システムに関連付けられたホストコンピュータへとデータを送信する。
【０００６】
アクティブＲＦＩＤシステムも、パッシブＲＦＩＤシステムとほぼ同様に機能する。ただし、アクティブＲＦＩＤシステムでは、ＲＦＩＤデバイスそれ自身が電池を含んでいるので、ボタンに触れるだけでデータおよび情報を送信可能である。例えば、遠隔制御式のガレージドア開閉機は、一般に、アクティブＲＦＩＤデバイスを用いている。このアクティブＲＦＩＤデバイスは、ガレージのドアを上げたり下げたりするために、ユーザの判断に基づいて所定のコードを受信機に送信する。
【０００７】
ＲＦＩＤに関連した他の技術に、Ｂｉｓｔａｔｉｘとして知られるものがある。Ｂｉｓｔａｔｉｘは、ＲＦＩＤデバイスとほぼ同様に機能するが、唯一異なる点は、ＲＦＩＤデバイスのコイル状アンテナおよびコンデンサに代わってカーボンベースの印刷材料が使用されることである。このため、Ｂｉｓｔａｔｉｘデバイスは、極めて平らで且つ比較的弾力性に富む。しかしながら、このようなＢｉｘｔａｔｉｘデバイスは、現時点では約１２５ｋＨｚの周波数範囲に限られる。また、Ｂｉｘｔａｔｉｘデバイスの読み出し範囲はデバイスの大きさに依存するので、広い読み出し範囲を得るためにはデバイスを非常に大きくする必要がある。
【０００８】
本出願において、「ＥＭ監視デバイス」という用語は、上述された全ての技術を含む意味で使用される。
【０００９】
検出ゾーンは、実際は、ＥＭ監視デバイスを検出するのであって、品物それ自体を検出するのではないので、ＥＡＳシステムは、ＥＭ監視デバイスを品物から除去するなどによって巧みに欺かれる可能性がある。したがって、不正な除去を阻止できるようなかたちでＥＭ監視デバイスを品物に取り付けることが重要である。既知のＥＭ監視デバイスのなかには、特殊な機器を用いなければ除去できないように、固く固定された位置をとるように構成されるものがある。このようなＥＭ監視デバイスは、衣料品でよく見られる。他の既知のＥＭ監視デバイスとして、粘着性の裏面を有した小型で薄型のものが挙げられる。このようなＥＭ監視デバイスは、品物、すなわち製品の表面の、好ましくはデバイスの存在を隠せるような場所に取り付けられる。
【００１０】
品物によっては、ＥＭ監視デバイスの設置にあたって手腕を問われるものがある。例えば、複合容器にパッケージングされた品物は、かねてより、ＥＭ監視デバイスを効果的に設置するのが困難であった。複合容器は、盗まれにくい安価な品物を収容している場合が多いが、粉ミルクなど比較的高コストの品物を収容している場合もある。このような容器は盗まれやすいので、ＥＭ監視デバイスの使用が大いに役立つと考えられる。容器の外側に裏面粘着式のデバイスを設置する案は、デバイスを容易に発見して取り除くことができるので問題である。ＥＭ監視デバイスを容器の壁の中に設置する案が、本出願と譲受人を同じくする米国特許出願第１１／０４８，８２９号に開示されている。該出願は、その全内容を参照によって本明細書に組み込まれるものとする。しかしながら、ＥＭ監視デバイスを容器の壁の中に組み込むには、デバイスを精確に設置するための、且つデバイスと製造プロセスの他の工程との間の妨げを阻止するための、資本集約的なプロセスが必要とされる。製造プロセスの終わり近くに、容器の壁とプリント層との間にＥＭ監視デバイスを
設置すれば、デバイスを精確に設置する必要性を低減させられる。しかしながら、これは、デバイスによる膨らみによって容器の美観を損ない、デバイスが不当に除去される可能性を増大させ、このような容器に典型的な複雑なプリントラベリングプロセスの妨げとなる可能性がある。
【００１１】
更に、つい最近までは、容器の壁の中に箔ベースの裏打ちが使用されていたので、ＥＭ監視デバイスを容器内に設置することは問題であった。箔ベースの裏打ちによる妨げは、電磁信号を介した通信を困難にしていた。しかしながら、箔の層を使用しない複合容器の利用が容易になるにつれ、このような容器の中にＥＭ監視デバイスを設置することの実際性が増した。箔ベースの裏打ちがない場合でも、容器の中にＥＭ監視デバイスを設置することに全く問題がないわけではない。例えば、ＥＭ監視デバイスのみをばらで含ませると、望ましくない異物または含有物として認識される可能性がある。
＜発明の概要＞
【００１２】
以上からわかるように、電磁（ＥＭ）監視デバイスを有する、物品を収容するための容器を提供することが好都合である。より具体的に言うと、ＥＭ監視デバイスをコスト効率良く且つ発覚されにくいかたちで設置することが好都合である。
【００１３】
本発明は、容器のための、ＥＭ監視デバイスを一体化されたスクープ器具を提供することによって、上記のニーズに対処し、且つ他の利点を実現する。容器は、製品を収容するための内部を画定する。スクープ器具は、容器から製品を取り除くためのものである。ＥＭ監視デバイスは、スクープ器具に取り付けられ、電磁（ＥＭ）信号に応答することによって盗難防止システムの一部として自身を検出可能にするように構成される。
【００１４】
本発明の一態様によると、スクープ器具は、本体とＥＭ監視デバイスとを含む。本体は、つかみ部分と、容器から製品をすくうための主要受け部分とを形成している。ＥＭ監視デバイスは、本体に取り付けられる。ＥＭ監視デバイスは、デバイスを本体に埋め込む、接着剤を用いてデバイスを本体に接着する、および本体に形成された窪みの中にデバイスを保持する、などを含むがこれらに限定されない様々な方法で本体に取り付けられる。ＥＭ監視デバイスは、電磁信号に応答することによって自身の存在を検出可能にするように構成されたＥＡＳ、Ｂｉｓｔａｔｉｘ、ＲＦＩＤ、またはその他のＥＭ監視タグもしくはラベルであってよい。
【００１５】
容器は、製品とともに容器に含ませるための、ＥＭ監視デバイスを有するスクープ器具を含む。一実施形態において、容器は、更に、上端と、その上端に取り付けられた着脱可能な覆いとを有する容器本体を含む。より具体的に言うと、本実施形態によると、容器本体は、底壁と、底壁から上方に延びて上端で終結する側壁とを有する。しかしながら、容器は可変であってよい。例えば、別の一実施形態において、容器は、筒状の側壁と、下方の覆いとを含む。この場合の筒状の側壁は、下方の開口と、上方の開口と、製品を収容するための内部とを画定しており、下方の開口は、下方の覆いによって閉じられる。
【００１６】
本発明は、更に、盗難防止特性を有する容器に製品をパッケージングする方法を含む。当該方法は、容器を用意する工程と、ＥＭ監視デバイスをプラスチック製の挿入物に取り付ける工程と、容器の内部に所定量の製品を満たす工程と、製品を満たす工程の後または製品を満たす工程と同時に、ＥＭ監視デバイスを有するプラスチック製の挿入物を設置する工程と、開口を着脱可能な覆いで閉じる工程とを含む。一実施形態において、プラスチック製の挿入物は、スクープ器具として構成される。
【００１７】
本発明は、多くの利点を有する。ＥＭ監視デバイスをスクープ器具と一体化させれば、ＥＭ監視デバイスの存在を隠すことができる、または少なくとも、ＥＭ監視デバイスを消
費者から見えにくくする、もしくはＥＭ監視デバイスが消費者に不快感を与えにくいようにすることができる。更に、ＥＭ監視デバイスを容器の中に設置すれば、監視デバイスの不当な除去または非動作化によって盗難防止システムを巧みに欺くことが難しくなる。また、このような容器を用意する工程およびこのような容器をパッケージングする工程は、コスト効率が良いので、製造プロセスの終わり近くにＥＭ監視デバイスの設置を行うことによって、製造プロセスの他の工程からの妨げを回避することが可能になる。
＜発明の詳細な記載＞
【００１８】
以下では、本発明の全部の実施形態ではなく一部の実施形態のみを図示した添付の図面を参照にして、本発明の十分な説明が行われる。実際、この発明は、多くの異なる形態で実現可能であり、本明細書に記載された実施形態に限られると解釈するべきでない。記載されたこれらの実施形態は、むしろ、本明細書の開示内容に法的適用条件を満たさせる目的で提供されたものである。本明細書を通して、類似の参照符号は類似の要素を示すものとする。
【００１９】
概して、本発明は、容器１０のための、電磁（ＥＭ）監視デバイス５０を一体化されたスクープ器具３０を提供する。図１および図２は、本発明の一実施形態による容器１０を示している。容器１０は、例えば乾燥粉ミルクなどの１つまたは複数の製品１２を収容するように構成される。具体的に言うと、容器１０は、１つまたは複数の壁、すなわち覆いを有する容器本体１４を含む。例えば、例示されるように、容器１０は、下方の開口と上方の開口とを有する内部２２を画定する筒状の側壁１８を含む。下方の開口は、底壁、すなわち下端、すなわち下方の覆い１６によって閉じられる。側壁１８は、底壁１６から延びて上端２０に達する。この上端２０は、上方の開口を画定する。容器１０は、また、上方の開口を閉じるために、上端２０に取り付けられた着脱可能な覆い２４を含んでもよい。容器１０は、１つまたは複数の層を螺旋状に巻くことによって形成されてよい。
【００２０】
ＥＭ監視デバイス５０の使用ゆえに考慮しなければならないことの１つは、監視デバイス５０の近傍における金属の存在が、監視デバイス５０の正しい動作を妨げうるという点である。したがって、容器本体３２は、合成ポリマまたは生体ポリマを含む様々な材料で形成されてよいが、他方では、箔ベースの層またはその他の金属層の使用を制限することが望ましい。例えば、図１および図２の容器１０によると、側壁１８は、箔ベースの層または金属層の使用を一切排除している。ただし、ＥＭ監視デバイス５０が、箔または金属から概して１ｃｍ弱など少し離れた位置に配置される条件下では、下端１６、または覆い２４、またはその両方を、部分的に箔層または金属層で形成することも許容可能であることがわかっている。
【００２１】
図には筒状構造で示されているが、容器１０の全体形状は可変であってよい。例えば、容器１０は、全体に矩形であってよい。更に、別個の上方の覆い２４に頼って上方の開口を閉じるかわりに、従来の牛乳パックのように、容器１０の側壁１８を、それ自身の上に折り重ならせて開口を閉じるように構成してもよい。
【００２２】
本発明の一態様は、スクープ器具３０である。図２〜４ｂに示されるように、スクープ器具３０は、本体３２とＥＭ監視デバイス５０とを含む。概して、本体３２は、内部２２から製品１２をすくいとるまたは獲得するように構成された主要受け部分３４を形成している。一実施形態によると、図２〜３ｂに示されるように、主要受け部分３４は、底面３６と、該底面３６の外縁の少なくとも一部から立ち上がって、すなわち延びて全体にカゴ構造を形成する側面３８とを含む。しかしながら、主要受け部分３４は可変であってよい。例えば、図４ａおよび図４ｂは、別の一実施形態を示している。この場合の主要受け部分３４は、より先細の前部を有するシャベル構造を全体に形成している。主要受け部分３４は、また、製品１２の量を示す計測線またはその他のしるしを設けることによって、製
品１２の量を測るように構成されてもよい。
【００２３】
本体３２は、消費者または作業員がスクープ器具３０を握って操作するためのつかみ部分４０を形成してもよい。つかみ部分４０は、主要受け部分３４の周囲の突縁であってもよいし、あるいは、図に例示されたような細長い部材であってもよい。
【００２４】
本体３２に取り付けられているのは、ＥＭ監視デバイス５０である。ＥＭ監視デバイス５０は、電磁信号に応答することによって自身の存在を検出可能にするように構成されたＥＡＳ、Ｂｉｓｔａｔｉｘ、ＲＦＩＤ、またはその他のＥＭ監視タグもしくはＥＭ監視ラベルであってよい。ＥＭ監視デバイス５０は、その存在を消費者または潜在的な万引き犯から隠すようなかたちで取り付けられることが好ましい。例えば、図３ａおよび図３ｂに示されるように、ＥＭ監視デバイス５０は、見えないようにつかみ部分４０に埋め込まれてよい。ＥＭ監視デバイス５０の埋め込みは、スクープ器具３０の作成時に、ＥＭ監視デバイス５０を本体３２に組み入れて成形することによって実現されてよい。あるいは、スクープ器具４０の作成時に本体３２に窪みを設けた後、その窪みの中にＥＭ監視デバイス５０を設置して、止め具または接着剤によって適所に保持してもよい。更に別の一実施形態では、例えば、図４ａおよび図４ｂに示されるように、つかみ部分４０の下など、スクープ器具４０の好ましくは見えにくい場所に、接着剤を用いてＥＭ監視デバイス５０を接着してよい。
【００２５】
ＥＭ監視デバイス５０をスクープ器具３０の中に設置する、またはスクープ器具３０に取り付けるにあたって考慮すべき主な点は、監視デバイス５０を容器１０の中に配置することによる不快感を最小限に抑えるため、且つ容器１０の盗難防止特性を高めるために、監視デバイス５０の存在を消費者から隠すことにある。他に考慮すべき点としては、容器１０の内部２２におけるスクープ器具３０の位置が挙げられる。前述のように、ＥＭ監視デバイス５０は、金属の近くに位置しないことが望ましい。したがって、金属製の端部、すなわち金属製の覆いを有する一実施形態では、ＥＭ監視デバイス５０は、いずれの端部１６，２４からも最も離れた場所にあることが好ましい。最も離れた場所とは、通常は、主要受け部分３４である。なぜなら、消費者にとっては、つかみ部分４０が上方の開口の近くにあるほうが便利だからである。
【００２６】
本発明の別の一態様は、盗難防止特性を有する容器１０に製品１２をパッケージングする方法である。当該方法は、容器１０を用意する工程と、容器１０を製品１２で満たす工程と、容器１０を満たす工程の後または容器１０を満たす工程と同時に、ＥＭ監視デバイス５０を取り付けられたプラスチック製の挿入物を容器１０の中に設置する工程とを含む。
【００２７】
好ましい一実施形態によると、プラスチック製の挿入物は、スクープ器具３０として構成される。しかしながら、プラスチック製の挿入物は、スクープ器具３０に限定されない。本発明の態様の１つは、ＥＭ監視デバイス５０が目立たないように、または少なくとも消費者に不快感を与えないように、ＥＭ監視デバイス５０を容器１０の中に設置することである。これは、ＥＭ監視デバイス５０をスクープ器具３０に一体化させることによって実現されることが好ましい。なぜなら、消費者は、容器１０の中にスクープ器具３０があることに慣れているからである。しかしながら、製品１２および容器１０の種類によっては、ＥＭ監視デバイス５０を隠すために、他の物品を標準として使用することも可能である。例えば、プラスチック玩具などの販売促進物品を使用することが可能である。
【００２８】
本発明は、多くの利点を有する。上述したように、ＥＭ監視デバイス５０をスクープ器具３０に一体化させれば、ＥＭ監視デバイス５０の存在を隠すことができる、または少なくとも、ＥＭ監視デバイス５０を消費者から見えにくくする、もしくはＥＭ監視デバイス
５０が消費者に不快感を与えにくいようにすることができる。更に、ＥＭ監視デバイス５０を容器１０の中に設置すれば、監視デバイス５０の不当な除去または非動作化によって盗難防止システムを巧みに欺くことが難しくなる。また、このような容器１０を用意する工程およびこのような容器１０をパッケージングする工程は、コスト効率が良いので、製造プロセスの終わり近くにＥＭ監視デバイス５０の設置を行うことによって、製造プロセスの他の工程からの妨げを回避することが可能になる。
【００２９】
本発明の関連分野の当業者ならば、以上の説明および関連の図面に示された教示内容の助けによって、本明細書に記載された本発明について多くの変更形態および他の実施形態を思いつくことができる。したがって、本発明は、開示された具体的な実施形態に限定されず、変更形態およびその他の実施形態も、添付の特許請求の範囲の範囲に含まれるものと理解される。本明細書で用いられる具体的な用語は、説明を目的とした総称的な意味で使用されるのであって、限定を意図したものではない。
【図面の簡単な説明】
【００３０】
【図１】本発明の一実施形態による、製品を収容するための容器の斜視図である。
【図２】図１に示された容器を線２−２に沿って切った図であり、収容されている製品とともに、容器の内部にあるスクープ器具が例示されている。
【図３ａ】図２に示されたスクープ器具の斜視図であり、つかみ部分に電磁監視デバイスが埋め込まれている。
【図３ｂ】図３ａに示すスクープ器具の側面図である。
【図４ａ】本発明の別の一実施形態によるスクープ器具の斜視図であり、電磁監視デバイスがつかみ部分に接着されている。
【図４ｂ】図４ａに示すスクープ器具の側面図である。
【図１】
2007249940.tif 000003
【図２】
2007249940.tif 000004
【図３ａ】
2007249940.tif 000005
【図３ｂ】
2007249940.tif 000006
【図４ａ】
2007249940.tif 000007
【図４ｂ】
2007249940.tif 000008
【外国語明細書】
2007249940000001.pdf
2007249940000002.pdf
2007249940000003.pdf
2007249940000004.pdf